(57)【要約】
【課題】既存のティッシュペーパーボックスを若干傾斜状態を確保してペーパーの取出しを極めて簡便にし、ボックスの占有スペース面を従来のボックスよりも著しく節減せしめ、省スペース面のより一層の有効利用を図る。
【解決手段】上方にティッシュボックスを嵌挿する嵌挿部と、前記嵌挿部の下方に嵌挿した前記ティッシュボックスを保持する保持部と、前方に前記ティッシュボックスの開口部より飛出するペーパーの取出し間隙部とを有する保持体を形成し、前記保持体の下方に前記ティッシュボックスを支承する支承部を設け、前記保持体に載置台付き支持脚部を取着せしめた。
【選択図】　    図１
0003098989.tif 000002
【実用新案登録請求の範囲】
【請求項１】
上方にティッシュボックスを嵌挿する嵌挿部と、前記嵌挿部の下方に嵌挿した前記ティッシュボックスを保持する保持部と、前方に前記ティッシュボックスの開口部より飛出するペーパーの取出し間隙部とを有する保持体を形成し、前記保持体の下方に前記ティッシュボックスを支承する支承部を設け、前記保持体に載置台付き支持脚部を取着せしめることを特徴とするティッシュボックス用スタンド。
【請求項２】
前記保持体が若干後方へ傾斜するように前記支持脚部を傾斜状に形成することを特徴とする請求項１記載のティッシュボックス用スタンド。
【請求項３】
前記保持体を、線材を使用してペーパーの取出しが可能な間隙部を有する左側支持部と右側支持部の上方端部と下方端部とを外側方に折曲延設して左右が対称の上方支持部と、左右が対称の下方支持部を形成し、前記上方支持部と前記下方支持部の端部を夫々後方に直角状に折曲して左側面支持部と右側面支持部を形成し、前記左側面支持部と右側面支持部とを内側方に直角状に夫々折曲して上方及び下方に後側支持部を形成すると共に、前記保持体の下方部に前記ティッシュボックスの底部を支承する支承部を取着し、前記保持体の所定個所に前記保持体が後方に若干傾斜するように載置台付き線材支持脚部を前記支承部より下方に位置するように取着することを特徴とする請求項１又は請求項２記載のティッシュボックス用スタンド。
【考案の詳細な説明】
【技術分野】
【０００１】
本考案は、ティッシュボックスを立てた状態に収納確保し、省スペース化に貢献し、さらにペーパーの取り出しを極めて容易にしたティッシュボックス用スタンドの分野に関するものである。
【背景技術】
【０００２】
従来のティッシュボックス（以下ボックスという。）は、ペーパーの取出口を上面にして、取出口から飛出しているペーパーを手指でつまんで取出し使用していた。
【０００３】
　さらに従来のボックスは、別設する取出口付き化粧箱等に収納し、ボックスの取出口からペーパーを取出すことができるようにしたものである。
【０００４】
　またボックスの底部に板状磁石を取着したガイド部付ティッシュボックス用ホルダを取り付け、冷蔵庫や壁面等に磁着せしめるものとして、特開２００３−１２１７０９公報に開示のものがあるが、この発明のものは、ボックスを予め縦状に、且傾斜状に収納しスペースを節約しながらペーパーを取り出すという構造をしたものではない。
【特許文献１】特開２００３−１２１７０９公報
【考案の開示】
【考案が解決しようとする課題】
【０００５】
本考案は前記した従来技術の種々の問題点を解消して、既存のティッシュペーパーボックスを若干傾斜状態を確保してペーパーの取出しを極めて簡便にすると共に、ボックスの占有スペース面を従来の前記ボックスよりも著しく節減せしめ、さらに省スペース面のより一層の有効利用を図るティッシュペーパー用スタンドを提供することを課題とする。
【課題を解決するための手段】
【０００６】
本考案者は、課題を解決するため以下の手段を講じた。
【０００７】
請求項１記載の考案のとおり、上方にティッシュボックスを嵌挿する嵌挿部と、前記嵌挿部の下方に嵌挿した前記ティッシュボックスを保持する保持部と、前方に前記ティッシュボックスの開口部より飛出するペーパーの取出し間隙部とを有する保持体を形成し、前記保持体の下方に前記ティッシュボックスを支承する支承部を設け、前記保持体に載置台付き支持脚部を取着せしめることを特徴とするティッシュボックス用スタンドにした。
【０００８】
請求項２記載の考案のとおり、前記保持体が若干後方へ傾斜するように前記支持脚部を傾斜状に形成することを特徴とする請求項１記載のティッシュボックス用スタンドにした。
【０００９】
請求項３記載の考案のとおり、前記保持体を、線材を使用してペーパーの取出しが可能な間隙部を有する左側支持部と右側支持部の上方端部と下方端部とを外側方に折曲延設して左右が対称の上方支持部と、左右が対称の下方支持部を形成し、前記上方支持部と前記下方支持部の端部を夫々後方に直角状に折曲して左側面支持部と右側面支持部を形成し、前記左側面支持部と右側面支持部とを内側方に直角状に夫々折曲して上方及び下方に後側支持部を形成すると共に、前記保持体の下方部に前記ティッシュボックスの底部を支承する支承部を取着し、前記保持体の所定個所に前記保持体が後方に若干傾斜するように載置台付き線材支持脚部を前記支承部より下方に位置するように取着することを特徴とする請求項１又は請求項２記載のティッシュボックス用スタンドにした。
【考案の効果】
【００１０】
請求項１記載の考案は、上方にティッシュボックスを嵌挿する嵌挿部と、前記嵌挿部の下方に嵌挿した前記ティッシュボックスを保持する保持部と、前方に前記ティッシュボックスの開口部より飛出するペーパーの取出し間隙部とを有する保持体を形成し、前記保持体の下方に前記ティッシュボックスを支承する支承部を設け、前記保持体に載置台付き支持脚部を取着せしめるティッシュボックス用スタンドなので、ティッシュボックスの省スペース化を図って収納できる利点がある。
【００１１】
さらに本考案は、ペーパーを手前方向につまんで取出すので、従来のボックスよりも取出しが極めて容易である。
【００１２】
また本考案は、支承部を設けてボックスの嵌挿状態を確実に保持できる。
【００１３】
さらに本考案は、スタンドが後方に若干の傾斜角度をもって傾斜しているので、ペーパーの取出し時にスタンドが前方に倒れたりしない。
【００１４】
請求項２記載の考案は、前記保持体が若干後方へ傾斜するように前記支持脚部を傾斜状に形成するティッシュボックス用スタンドなので、請求項１記載の考案と同じ効果を有している。
【００１５】
請求項３記載の考案は、前記保持体を、線材を使用してペーパーの取出しが可能な間隙部を有する左側支持部と右側支持部の上方端部と下方端部とを外側方に折曲延設して左右が対称の上方支持部と、左右が対称の下方支持部を形成し、前記上方支持部と前記下方支持部の端部を夫々後方に直角状に折曲して左側面支持部と右側面支持部を形成し、前記左側面支持部と右側面支持部とを内側方に直角状に夫々折曲して上方及び下方に後側支持部を形成すると共に、前記保持体の下方部に前記ティッシュボックスの底部を支承する支承部を取着し、前記保持体の所定個所に前記保持体が後方に若干傾斜するように載置台付き線材支持脚部を前記支承部より下方に位置するように取着するティッシュボックス用スタンドなので、請求項１又は請求項２記載の考案と同じ効果を有している。
【考案を実施するための最良の形態】
【００１６】
本考案の請求項１〜３記載の考案に関する実施の形態に関し以下のとおり一括して説明する。
【００１７】
本考案の構成上の要部は、ティッシュペーパーボックスｃを立て状に、しかも後方に若干傾斜する保持体ａと、この保持体ａの傾斜状態を確保させる支持脚部ｂにある。以下において前記した各構成部材につき説明する。
【００１８】
前記保持体ａは、本考案の第１実施例であり図面のように線材を折曲して形成する。
【００１９】
前記保持体ａを線材を折曲して形成するときは、所定の長さ例えばティッシュボックス（以下ボックスという。）ｃの長さより短く、しかも前記ボックスｃの取出口１０からはみ出しているペーパー１１が引き出し可能な間隙部１を有する垂直状の左側支持部２と垂直状の右側支持部３を形成する。
【００２０】
そして前記左側支持部２と右側支持部３の上方端部と下方端部とを外側方に夫々直角状に折曲延設して上方支持部４と下方支持部５を夫々対称的に形成する。
【００２１】
つぎに２本の前記上方支持部４と前記下方支持部５の夫々の端部を後方に直角状に夫々折曲して左側面支持部６と右側面支持部７とを上方と下方に対称的に形成する。
【００２２】
さらに２本の前記左側面支持部６と２本の右側面支持部７とを内側方に直角状に折曲して後側支持部８を上方と下方に対称的に形成する。
【００２３】
また前記後側支持部８にボックスｃの底部１２を支承する支持部１４付き支承部１３を取着する。
【００２４】
しかし前記支承部１３の形状は図面図示のように限定した形状でなくてもよい。即ち支持部１４付き支承部１３を左側面支持部６又は右側面支持部７に取着して前記ボックスｃの底部１２を支持部１４にて支持し下方の載置テーブル面に落下しないようにした。
【００２５】
以上の各構成部材をもってボックスｃの保持体ａとする。
【００２６】
そして前記のように構成された保持体ａの上方部にはボックスｃの嵌挿部１５が形成されている。
【００２７】
さらに本考案の保持体ａには、保持体ａが後方部に僅かな傾斜角度で傾斜するように、載置台１７付きの支持脚部１６を前記支承部１３の支持部１４より下方に位置するように取着する。その結果図面図示の形態を有している。
【００２８】
そして前記支持脚部１６は、図面図示のように左側面支持部６と右側面支持部７に線材を折曲して形成の支持脚部１６の夫々前方部を長く後方部を短くして接着し、前記２本の支持脚部１６の下方端部に載置台１７を夫々接着する。さらに前記載置台１７の重さは、ボックスｃのペーパー１１を取出すときの引張り力に抗して前方向に容易にスライドしない程度のものとする。
【００２９】
さらに本考案の支持脚部１６は、図面図示のような形状に限定しない。即ち前記載置台１７の取付け位置を前記脚部１６の下方端部を接続して形成した接続部に保持体ａが若干傾斜するように形成してもよい。
【００３０】
また本考案の保持体ａの第２実施例としては、線材を折曲して形成する実施例とは異なり、木製又は合成樹脂製等にして、ボックスｃの嵌挿部とボックスｃの底部１２を支持する支持部とペーパーの取出し用間隙部とを有する構成のものでもよい。前記のような形状の保持体には、保持体が若干後方へ傾斜しているように載置台付き脚部を取着する。
【００３１】
以上の構成部材からなる本考案のティッシュボックス用スタンドを使用するには、嵌挿部１５にボックスｃを嵌挿させ、前記ボックスｃの底部１２を支承部１３の支持部１４を介して支承する。そのためこのボックスｃがテーブル面に接触しない。
【００３２】
さらに本考案のスタンドは、保持体ａが後方に若干傾斜しており、間隙部１よりペーパー１１の一部が飛出しており、取出し易くなっている。
【００３３】
さらに本考案のスタンドは、前記のペーパー１１を取出しても引張り力に抗してスタンドが不用意に前方にずるずると移動したりしない。
【００３４】
また本考案のスタンドは、従来のボックスよりもテーブル面の占有面積が著しく減少しているし、その減少した広さ分を有効に利用することができる。
【００３５】
　さらに本考案のスタンドの保持体ａが線材製のときは、上方部の左側面支持部６や右側面支持部７や後側支持部８に小物等を整理整頓のため引掛けて使用してもよい。
【図面の簡単な説明】
【００３６】
【図１】本考案ティッシュボックス用スタンドの使用状態を示す斜面図である。
【００３７】
【図２】同スタンドの正面図である。
【００３８】
【図３】同スタンドの右側方からの斜視図である。
【符号の説明】
【００３９】
ａ　　  保持体
ｂ    　支持脚部
ｃ    　ボックス
１    　間隙部
２　　  左側支持部
３      右側支持部
４　　　上方支持部
５      下方支持部
６　　  左側面支持部
７      右側面支持部
８      後側支持部
１０    取出口
１１    ペーパー
１２　　底部
１３　　支承部
１４　　支持部
１５　　嵌挿部
１６　　支持脚部
１７　　載置台
【図１】
0003098989.tif 000003
【図２】
0003098989.tif 000004
【図３】
0003098989.tif 000005